(57)【特許請求の範囲】
【請求項１】
（ａ）少なくとも胴部および前記胴部に対し遊動するように接続された頭部を有する人形と、
（ｂ）前記胴部に対する前記頭部の遊動した位置を許容可能な位置と許容不可能な位置との間で検知する手段と、および
（ｃ）前記頭部位置検知手段と連絡し、許容不可能な位置における前記頭部の検知された変位を屈曲頸部発生データとして記録するデータ記録手段からなる、幼児シミュレーター。
【請求項２】
（ａ）少なくとも胴部および前記胴部に対し遊動するように接続された頭部を有する人形と、
（ｂ）前記胴部に対する前記頭部の遊動した位置を許容可能な位置と許容不可能な位置との間で検知する手段と、および
（ｃ）前記頭部位置検知手段と連絡し、前記頭部が許容不可能な位置で検知されたときに知覚可能な苦痛信号を発生する手段からなる、幼児シミュレーター。
【請求項３】
前記頭部位置検知手段と連絡し、前記頭部が許容不可能な位置で検知されたときに知覚可能な苦痛信号を発生する手段をさらに含む、請求項１記載の幼児シミュレーター。
【請求項４】
前記知覚可能な苦痛信号は苦痛期間を通して発生される、請求項２または３に記載の幼児シミュレーター。
【請求項５】
前記頭部が許容可能な位置から許容不可能な位置に遊動するときに前記頭部の連続した移動を停止させるために必要とされる力を測定する手段をさらに含む、請求項１または２に記載の幼児シミュレーター。
【請求項６】
前記力測定手段と連絡し、前記測定された力のデータを記録するデータ記録手段をさらに含む、請求項５記載の幼児シミュレーター。
【請求項７】
（i）前記頭部が許容可能な位置から許容不可能な位置に遊動するときに前記頭部の連続
した移動を停止させるために必要とされる力を測定する手段と、および（ii）前記力測定手段および前記苦痛信号発生手段と連絡し、前記測定された力に基づいて前記苦痛信号の強度を増大する手段をさらに含む、請求項２または３に記載の幼児シミュレーター。
【請求項８】
前記頭部位置検出手段および前記力測定手段と連絡し、（i）該頭部が許容不可能な位置で検出されるとき、および（ii）前記頭部が検知された許容不可能な位置に移動した場合に、不注意な取扱いを示す力が前記力測定手段によって測定されるときの双方でのみ屈曲頸部発生の記録を可能にし、それにより、許容可能な位置から許容不可能な位置への前記頭部の緩やかな転位は屈曲頸部発生の記録を生じないようにする手段をさらに含む、請求項５記載の幼児シミュレーター。
【請求項９】
前記力測定手段および前記苦痛信号発生手段と連絡し、（i）該頭部が許容不可能な位置で検出されるとき、および（ii）前記頭部が検知された許容不可能な位置に移動した場合に、不適切な取扱いを示す力が前記力測定手段によって測定されるときの双方でのみ前記苦痛信号の発生を可能にし、それにより、許容可能な位置から許容不可能な位置への前記頭部の緩やかな転位は苦痛信号の発生を生じないようにする手段をさらに含む、請求項２または３に記載の幼児シミュレーター。
【請求項１０】
前記幼児シミュレーターは、屈曲頸部状態の持続期間をデータとして測定しそして記録するデータ記録手段をさらに含む、請求項２または３に記載の幼児シミュレーター。
【請求項１１】
（i）屈曲頸部状態の持続期間を測定する手段と、および（ii）前記屈曲頸部状態持続期間測定手段および前記苦痛信号発生手段と連絡し、前記屈曲頸部状態の増加した持続期間に基づいて苦痛信号の強度を増大する手段をさらに含む、請求項２または３に記載の幼児シミュレーター。
【請求項１２】
（i）屈曲頸部状態の持続期間を測定する手段と、および（ii）前記屈曲頸部状態持続期間測定手段および前記苦痛信号発生手段と連絡し、前記屈曲頸部状態の増加した持続期間に基づいて苦痛期間の持続期間を増加する手段をさらに含む、請求項４記載の幼児シミュレーター。
【請求項１３】
前記人形は幼児の形状および重量を有する、請求項１または２に記載の幼児シミュレーター。
【請求項１４】
（i）前記胴部は頂部、底部、前部および背部を有し、前記頭部は前記胴部の前記頂部に対し遊動するように接続されており、また（ii）前記頭部は前記胴部に対して前部から背部にのみ遊動可能である、請求項１または２に記載の幼児シミュレーター。
【請求項１５】
（i）前記人形が直立姿勢に保持されたときに前記頭部は前記胴部の上で安静位置を占め、また（ii）前記頭部が前記安静位置から前記胴部の前記背部に向けてのみ反復遊動可能である、請求項１４記載の幼児シミュレーター。
【請求項１６】
前記知覚可能な苦痛信号は可聴の泣き声として表される、請求項２または３に記載の幼児シミュレーター。
【請求項１７】
（i）前記人形が直立姿勢に保持されたとき、前記頭部は前記胴部の上で許容可能で静止した安静位置を占め、また（ii）前記頭部が前記静止した安静位置から約３０°より大きな角度で変位されるとき、前記頭部は許容不可能な位置を占める、請求項１、２または３のいずれか１項記載の幼児シミュレーター。
【請求項１８】
前記頭部位置データ記録手段は、指定された期間内に発生した屈曲頸部発生の数のデータを記録する手段である、請求項１または３に記載の幼児シミュレーター。
【請求項１９】
前記頭部位置データ記録手段および屈曲頸部状態持続期間測定手段は、指定期間内に発生した屈曲頸部発生の数および全ての屈曲頸部状態の合計持続期間のデータを記録する手段である、請求項８記載の幼児シミュレーター。
【請求項２０】
前記屈曲頸部状態持続期間測定手段は指定期間内に発生した各々の屈曲頸部状態の持続期間のデータを個別に記録する手段である、請求項８記載の幼児シミュレーター。
【請求項２１】
請求項１記載の幼児シミュレーターを用いた訓練方法であって、
指定された期間の間に、胴部に対する頭部の遊動した位置を、許容可能な位置と許容不可能な位置との間で、前記幼児シミュレーターの頭部位置検知手段により検知するステップと、
許容不可能な位置における前記頭部の検知された変位を、屈曲頸部発生データとして、前記幼児シミュレーターのデータ記録手段により記録するステップ
からなる、訓練方法。
【請求項２２】
請求項２記載の幼児シミュレーターを用いた訓練方法であって、
指定された期間の間に、胴部に対する頭部の遊動した位置を、許容可能な位置と許容不可能な位置との間で、前記幼児シミュレーターの頭部位置検知手段により検知するステップと、
前記頭部が許容不可能な位置で検知されたときに、知覚可能な苦痛信号を、前記幼児シミュレーターの苦痛信号発生手段により発生するステップ
からなる、訓練方法。
【請求項２３】
請求項３記載の幼児シミュレーターを用いた訓練方法であって、
指定された期間の間に、胴部に対する頭部の遊動した位置を、許容可能な位置と許容不可能な位置との間で、前記幼児シミュレーターの頭部位置検知手段により検知するステップと、
前記頭部が許容不可能な位置で検知されたときに、知覚可能な苦痛信号を、前記幼児シミュレーターの苦痛信号発生手段により発生するステップと、
許容不可能な位置における前記頭部の検知された変位を、屈曲頸部発生データとして、前記幼児シミュレーターのデータ記録手段により記録するステップ
からなる、訓練方法。
【発明の詳細な説明】
【０００１】
発明の分野
本発明は、広く言えばシミュレートされた子供の世話の分野に関する。より詳細には、本発明は、親になろうとしている者に親であることの実際性について教育し、子供の世話の職業を始める職員の教育および訓練において助けとなり、また子供の世話の職業で働く人の継続した教育において助けとなる教育プログラムにおいて使用される幼児シミュレーターに関する。
【０００２】
背景
１０代の妊娠は絶えず増大する問題である。なぜ赤ん坊をもつことを選択したかを調査された１０代の親たちは、“赤ちゃんはとてもかわいい。”、“私は世話をしたかった。”、“私は、愛しそして私を愛し返してくれる誰かが必要だった。”のような理由を答える。赤ん坊を持つことに対するそのようなロマンチックな感情は、睡眠の喪失、自由の喪失、定期的な世話の必要等を含む、赤ん坊によって課される責任の理解をほとんど決して含んでいない。授業および読物からなる伝統的な教育方法を使用する、幼児の世話および子供の持ち上げの困難および試練について１０代の人を教育する試みはほとんど成功していない。
【０００３】
伝統的な教育方法が作用しないことを認識している幾人かの工夫に富んだ教育者は、１日ないし数日の期間の間の担当を通して小麦粉、卵または植物の袋を持ち運ぶことを生徒に求めることによって、幼児の世話の要求を実演することを試みている。幼児の世話の要求のいくらかの例示ではあるけれども、そのようなプログラムは実際の幼児の世話の要求を公正に表しておらず、そして限定された成功を収めると考えられている。
【０００４】
ブルークスに付与された合衆国特許第４，１１５，９４８号およびケリーに付与された第５，０９４，６４４号は、ボトルから授乳された後にオシメをぬらす人形を記載する。そのような人形は、授乳およびオシメぬらしサイクルが使用者の制御下にあるので、幼児のための世話の困難および試練について生徒に教育するためには有用でない。教育者による不断の監督下でなければ、生徒は生徒によって選択されたスケジュールに基づいて人形に授乳させオシメ交換することができる。
【０００５】
ウェックスエラーに付与された合衆国特許第４，２４９，３３８号は、手動で操作されるスイッチが作動させられたときに泣き声を発する人形を開示する。使用者はその後、いくつかの動作（例えば、授乳、オシメ交換または背中たたき）のいずれが泣き声を停止させるかを決定しなければならない。遊び道具としては興味深いけれども、この人形は泣き声作動化スイッチの作動が前記使用者の制御下にある“授乳およびオシメぬらし”人形と同じ欠点を被っている。教育者による不断の監督下でなければ、生徒は生徒によって選択されたスケジュールに基づいて該スイッチを作動しそして人形を交換することができる。
【０００６】
幼児の世話の要求について生徒を教育することにおける使用のために特に有用な幼児模擬装置は、ジャーメイン等に付与されそして本願の譲受人に譲渡された合衆国特許第５，４４３，３８８号において記載される。該幼児シミュレーターは、生徒には既知でないスケジュールに基づき指定期間を通して周期的に泣き、生徒に適当な対応行動を取ることを要求するような有用な特徴を含む。
【０００７】
幼児を抱くときはいつでも、該幼児の頭部を継続して支持することが絶対に必要であることは幼児について世話をした者に良く知られまた良く理解されている。幼児は、誕生後数ヶ月の間、直立姿勢において彼ら自身の頭部を支持することが全くできない。幼児を取扱うときの該頭部の支持の失敗は、該頭部が後ろに遊動し重大な障害を生じるかもしれない。
【０００８】
ウッズに付与された合衆国特許第４，７６２，４９４号において開示される精神療法人形およびゴンザレスに付与された合衆国特許第４，５７５，３５１号において開示される訓練人形を含み、数多くの人形が遊動する頸部を有して設計されている。しかしながら、これらの人形は前記頸部の実際的な曲がりを備えず（例えば、ゴンザレスのものにおいて開示される人形の頸部は縫い糸によって単に挟まれて前記頭部の遊動を可能にしている。）、またそれらは前記頭部の望ましくない遊動を監視し記録する設備を含んでいない。
【０００９】
従って、親になろうとしている者に親であることの実際性について教育し、子供の世話の職業を始める職員の教育および訓練において助けとなり、また子供の世話の職業で働く人の継続した教育において助けとなる教育プログラムにおいて使用のために適し、幼児によって要求される頭部支持を実際的に実演しかつ教育者または他の教官に該頭部が指定期間を通して生徒により適切に支持されていたか否かを確認することを可能にする監視手段を含む改良された幼児シミュレーターについての継続する必要性が存在する。
【００１０】
本発明の要約
本発明の幼児シミュレーターは、実際的に遊動する頸部および頭部が取扱いの間に適切に支持されておらずそして許容不可能な位置に遊動できる場合を検知しそして記録または報告する手段を備えた人形である。
【００１１】
第一の態様において、前記人形は胴部に遊動するように接続された頭部を含み、かつ（ｉ）前記胴部に対する前記頭部の遊動した位置を許容可能な位置と許容不可能な位置との間で検知する頭部位置検知装置と、および（ｉｉ）前記頭部位置検知装置と連絡し、許容不可能な位置における前記頭部の検知された変位を記録するデータ記録手段を備える。この態様は、該頭部が許容不可能な位置に遊動することが可能である場合を検知し、そしてプログラム監督者によるその後の見直しのためにそのような場合を記録するために有効である。
【００１２】
第二の態様において、前記人形は胴部に対し遊動するように接続された頭部を含み、かつ（ｉ）前記胴部に対する前記頭部の遊動した位置を許容可能な位置と許容不可能な位置との間で検知する頭部位置検知装置と、および（ｉｉ）前記頭部位置検知装置と連絡し、前記頭部が許容不可能な位置で検知されたときに知覚可能な苦痛信号を発生する手段を備える。この態様は、前記頭部が許容不可能な位置に遊動することが可能である場合を検知し、そして該頭部が取扱いの間の頭部支持の喪失のために許容不可能な位置に遊動したことを生徒に信号（例えば、金切り声、大きな泣き声、赤色光等）で知らせるために有効である。
【００１３】
前記人形は所望によりデータ記録装置および信号発生装置の双方を前記頭部位置検知装置と組み合わせて備え得る。
【００１４】
該胴部に対する該頭部の実際的な移動を与えることができる遊動する頸部組立品の特別な態様は、（ｉ）前記胴部における開口部内で第一収容カラーによって係合される第一端部および前記頭部における開口部内で第二収容カラーによって係合される第二端部を有し、前記頸部チューブは第一および第二収容カラーの少なくとも一方の内で摺動可能に係合され、（ｉｉ）前記頭部が前記胴部と一線となる第一位置と前記頭部が前記胴部に対して後ろに傾いた第二位置との間の前記胴部に対する前記頭部の制限された移動のための案内機構を含む。前記遊動する頸部組立品は、前記胴部がおよそ垂直な姿勢にあるときには前記第一位置に向けて（即ち、前記胴部と一線となるように）重力により偏り、また前記胴部がおよそ水平な姿勢にある場合には前記第二位置に向けて（即ち、前記胴部に対して後ろに傾くように）重力により偏るように形作られそして配置されている。
【００１５】
本発明はさらに、本発明の前記幼児シミュレーターを指定期間の間、人にあてがうことにより年令の浅い幼児の頭部の適切な支持を人に訓練する方法を包含する。前記幼児シミュレーターがデータ記録装置を含むとき、前記方法はさらに、前記指定期間の間に幼児シミュレーターによって記録されたデータの見直しおよび前記訓練される人とのそのようなデータの検討をさらに含むことができる。
【００１６】
好ましい態様の詳細な説明
定義
請求項を含む本明細書中で使用される場合、用語“指定期間”は、前記幼児シミュレーターが作動させられそしてあてがわれた人または組が前記幼児シミュレーターの管理を託された間の時間の期間（例えば、一晩、４８時間、一週間）を意味する。
請求項を含む本明細書中で使用される場合、用語“屈曲頸部状態”は、前記人形の前記頭部が許容不可能な位置で検知される間の時間の期間に関する。各々の屈曲頸部状態は、前記頸部が許容不可能な位置で検知されそして屈曲頸部発生が記録されおよび／または苦痛信号が発生されるときに開始し、そして前記頭部が許容可能な位置で検知されるときに終了する。
請求項を含む本明細書中で使用される場合、用語“人形”は、人間を表しまた少なくとも頭部を表す部分および胴部を表す部分を含む人型を意味する。前記人型は好ましくは幼児のように形作られまた腕および脚を含む。特に、しかし排他的でなく、髪、目、睫毛、眉毛、耳、鼻、口、手、手指、手指の爪、乳輪、臍、生殖器、脚、足指、足指の爪、肌の着色および肉体的奇形を含む、他の肉体的特徴を所望により表すことができる。
請求項を含む本明細書中で使用される場合、用語“苦痛期間”は、苦痛信号の発生と関連して使用されるとき、前記頭部の許容不可能な変位の検知の後直ちにまたはその僅かな後に開始する所定の持続期間またはランダムに変化する持続期間の時間の期間を意味する。
請求項を含む本明細書中で使用される場合、用語“幼児”は、早産新生児を含む新生児からほぼ１歳の子供までの年齢にある年令の浅い人間に関する。
請求項を含む本明細書中で使用される場合、用語“知覚可能な信号”は、特に、しかし排他的でなく、可聴信号（例えば、泣き声）、嗅知可能な信号（例えば、臭気を有する気体の放出）、触知可能な信号（例えば、ぬれたオシメ）、可視信号（例えば、仕草）およびマルチメディア信号（例えば、泣き声および涙）を含む、人に注意を伝達するかまたは警告することが可能なあらゆるおよび全ての連絡の手段を意味する。
請求項を含む本明細書中で使用される場合、用語“位置”は、“位置”を検知することが特定の単一の位置を検知すること、特定の複数の位置を検知することまたは位置の定義された範囲内の位置を検知することを含むように、単一および多数の形態の双方を含む。
請求項を含む本明細書中で使用される場合、用語“傾倒角度”は、前記頭部が許容可能と許容不可能な位置との間で移動したとして頭部位置センサによって最初に検知された角度αを意味する。言い換えると、前記傾倒角度より小さい角度αは屈曲頸部発生の記録を生じない許容可能な頭部位置を表し、一方前記傾倒角度より大きいかそれに等しい角度αは許容不可能な頭部位置を表し、そして屈曲頸部発生の記録を生じる。
【００１７】
構成
図１に図示されるように、幼児シミュレーター１０は頭部１６を胴部１４に、世話提供者によって適切に支持されなければ前記頭部１６が前記胴部１４に対して後に遊動することができるような方法で接続する頸部組立品１２を有する人形１０からなる。前記頸部組立品１２は、実際的な体裁を有する頸部並びに前記頭部が適切に支持されていないときに前記胴部１４に対する前記頭部１６の実際的な移動を与えるように設計されている。
【００１８】
前記人形１０は好ましくは、年令の浅い幼児の体裁（例えば、ほぼ４０ないし８０ｃｍの長さおよび３ないし５ｋｇの重量）を有する。前記人形１０は特に、しかし排他的でなく、アフリカ人、アメリカ人、アジア人、カフカズ人、スペイン系住民およびアメリカ原住民を含む、様々な民族群の肌の色および顔の特徴を描画するように形作られることができる。
【００１９】
前記頸部組立品１２は開口位置において偏り、そして前記頭部１６が湾曲した頸部チューブ２２に沿って十分な距離を移動するときはいつでも接続されるスイッチ４０を含む。該スイッチ４０が接続されると、屈曲頸部信号がリード線４２に沿ってジャーメイン等に付与されそして本願の譲受人に譲渡された合衆国特許第５，４４３，３８８号において記載される種類の中央処理装置（図示されていない。）に伝達される。前記中央処理装置は（ｉ）前記屈曲頸部信号の受信を屈曲頸部発生として記録し、および／または（ｉｉ）前記屈曲頸部信号の受信に応じて苦痛信号を生成することが可能な信号発生手段を介して前記屈曲頸部発生を連絡するように設計およびプログラムされている。他のデータもまた所望により前記中央処理装置により記録および／または処理されることができる。
【００２０】
苦痛信号が屈曲頸部信号の受信に応じて発生されると、前記中央処理装置は所望により、時間の所定の期間（例えば、１０秒ないし１０分）の間、そのような外傷事件を経験した後に幼児が金切り声を出すことおよび／または泣くことを継続すると期待されるだけ前記苦痛信号を継続し得る。
【００２１】
図１ないし７に図示されるように、前記頸部組立品１２は（ｉ）第一端部２２ａ、第二端部２２ｂ、滑らかに湾曲した前面２２ｆおよび鋭く曲がった背面２２ｒを有する湾曲した頸部チューブ２２と、（ｉｉ）前記湾曲した頸部チューブ２２の前記第一端部２２ａを保持して収容するための、前記胴部１４の頂部における開口部２０内に設置された第一収容カラー１８のような第一収容手段と、および（ｉｉｉ）前記湾曲した頸部チューブ２２の前記第二端部２２ｂを保持して収容するための、前記頭部１６の底部内の開口部２１内に設置された第二収容カラー２４のような第二収容手段を含む。前記湾曲した頸部チューブ２２は前記保持カラーの偏って堅持され、そして他方に摺動可能に係合する。
【００２２】
前記頭部１６および胴部１４は好ましくは幼児の皮膚を真似る柔らかく柔軟な材料から構成されるので、前記第一保持カラー１８および第二保持カラー２４は、前記胴部１４に対する前記頭部１６の反復運動を行うに必要な構造的剛直性を与える。
【００２３】
図１ないし７は、前記湾曲した頸部チューブ２２が前記第一保持カラー１８を通して前記胴部１４に固定して係合し、そして前記第二保持カラー２４によって前記頭部１６に摺動可能に係合される態様を図示する。接着剤結合、ビード溶接、摩擦嵌め、縫い、ホチキス留め等を含むあらゆる適した手段により、前記第一保持カラー１８は前記頸部開口部２０内で前記胴部１４に固定して堅持され、そして前記第二保持カラー２４は前記頸部開口部２１内で前記頭部１６に固定して堅持される。
【００２４】
前記湾曲した頸部チューブ２２の前記第一端部２２ａは、前記第一保持カラー１８にまで延び、そして前記第一カラー１８の内部フランジ２３に接触する。前記第一保持カラー１８は、接着剤結合、熱溶接、摩擦嵌め、複数の掛け金、保持リング、前記湾曲した頸部チューブ２２および前記第一保持カラー１８の合わせ縫い、スナップファスナー等を含むあらゆる適した手段により、この位置で固定して堅持される。
【００２５】
前記第二保持カラー２４は、（ｉ）図６に図示される、前記頭部１６および胴部１４が一線となる（即ち、前記第一保持カラー１８によって定義される中心長手軸１００ｘと前記第二保持カラー２４によって定義される中心長手軸２００ｘが軸で一線となる）、許容可能な安静位置と、（ｉｉ）図７に図示される、前記頭部１６が前記胴部１４から後に曲がる（即ち、前記第二保持カラー２４によって定義される中心長手軸２００ｘが前記第一保持カラー１８によって定義される中心長手軸１００ｘに対して最大角度αで位置する）、許容不可能な屈曲頸部位置との間の前記湾曲した頸部チューブ２２に沿った摺動および／または旋回移動のために有効である。前記頸部組立品１２は、前記頭部１６が前記胴部１４に接触するまで、前記頭部１６が始めに前記胴部１４に対して旋回ピン３０をめぐり後ろに旋回することを可能にする。ひとたび前記頭部１６が前記胴部１４と接触すると、前記頭部１６は、直線運動が前記湾曲した頸部チューブ２２の前記背面２２ｒでの曲りの鋭さのために実質的に停止させられるまで、前記旋回ピン３０をめぐる旋回を継続しながら比較的直線的な状態で前記胴部１４から離れて移動し始める。その後、前記頭部１６は、前記第二保持カラー２４が前記頸部チューブ１２の前記第二端部２２ｂの近傍の前記湾曲した頸部チューブ１２の前記前面２２ｆから突出した外側に伸びるタブ２６に接触するまで、旋回ピン３０をめぐる旋回を継続する。前記胴部１４に対する前記頭部１６の直線移動および旋回移動のこの組み合わせは、前記頭部１６が後に傾きそして実際的な屈曲を与える場合に、前記胴部１４が前記頭部１６の継続した運動と干渉することを防止する。
【００２６】
前記湾曲した頸部チューブ２２に沿った前記第二保持カラー２４の移動は案内機構（番号付けされていない。）によって支配される。前記案内機構は、（ｉ）前記湾曲した頸部チューブ２２の前記背面２２ｒ内の閉鎖端部チャネル３４と、（ｉｉ）前記チャネル３４内での摺動可能な係合のための、前記第二カラー２４と一体に形成されまた前記第二カラー２４から内側かつ下側に延びる長軸方向に延びた指部２８と、（ｉｉｉ）前記チャネル３４の各々の側面で横に対向し長軸方向に延びた一対の閉鎖端部溝３６と、および（ｉｖ）前記溝３６内での摺動可能な係合のための、前記指部２８の遠位端部（番号付けされていない。）から延びる横方向に延びた旋回ピン３０を含む。前記チャネル３４は、前記湾曲した頸部チューブ２２の前記第一端部２２ａでの開口端部（番号付けされていない。）から前記湾曲した頸部チューブ２２が曲がり始める前記湾曲した頸部チューブ２２の位置の近傍の閉鎖端部（番号付けされていない。）まで延びる。同様に前記溝３６は各々、前記湾曲した頸部チューブ２２の前記第一端部２２ａでの開口端部（番号付けされていない。）から前記チャネル３６の端部の中間での閉鎖端部（番号付けされていない。）まで延びる。各々の溝３６の前記閉鎖端部は、前記溝３６の前記閉鎖端部と接触することなく前記第二保持カラー２４が前記湾曲した頸部チューブ２２に沿って摺動する場合に、前記旋回ピン３０が定義された距離について前記溝３６内を摺動するように前記旋回ピン３０に対して変位される。ノッチ３２が、図６に図示されるように第一保持カラー１８および第二保持カラー２４が一線となりそして安静位置において互いに最も近く変位されるときに、指部２８を収めるために第一保持カラー１８において備えられる。
【００２７】
前記旋回ピン３０は、前記頭部１６が前記湾曲した頸部チューブ２２に対して移動することができる自由度を制限するために前記溝３６内に共同して係合される。前記旋回ピン３０はそれにより、前記カラー２４が前記湾曲した頸部チューブ２２に沿って移動する場合に前記第二保持カラー２４が旋回する軸（図示されていない。）を定義し、また前記第二保持カラー２４が前記湾曲した頸部チューブ２２に対して上向きになることおよび前記チューブ２２にぶら下がることを防止する。
【００２８】
前記湾曲した頸部チューブ２２は、前記頭部１６の継続した移動が止め具２６によって防止される前に、あらゆる所望の最大角度αを与えるように形作られ得る。ほぼ６０°の最大角度αが実際的効果を与えることが見出されている。
【００２９】
前記頸部組立品１２を含む人形１０全体は、欲求不満の世話提供者による乱暴な取扱いに耐えるに十分に丈夫であるべきである。それ故、構成物および様々な構成品を取り付けるための手段の材料は、前記人形１０がそのような予期される酷使を耐えぬくことを確実にするように選択されるべきである。
【００３０】
前記保持カラー１８および２４ならびに湾曲した頸部チューブ２２は、アルミニウムおよび鉄のような金属、ポリアクリレート（ＰＡ）、アクリロニトリル−ブタジエン−スチレンターポリマー（ＡＢＳ）およびポリ塩化ビニル（ＰＶＣ）のようなプラスチックを含む多くの適した材料から形成され得る。
【００３１】
センサが許容不可能な遊動または屈曲した位置にある前記頭部１６の変位を検出するために備えられる。あらゆるセンサは、遊動した位置にある前記頭部１６の変位を信頼性を有して検出すること、および金切り声のような知覚可能な信号を発することによって屈曲頸部発生を報告し、および／または教育者または他の管理者によるその後の見直しのために屈曲頸部発生データを記録する中央処理装置（図示されていない。）に屈曲頸部信号を伝達することが可能である。例示的なセンサは特に、しかし排他的でなく、トグルスイッチのような機械スイッチ、磁気センサ、光学センサ等を含む。
【００３２】
前記センサは、作動させられそして、角度αが実際の幼児で障害が起こるような角度に少なくとも類似する限り、あらゆる所望の角度αでの屈曲頸部発生を検知するために変位されることができる。それより小さいと前記頭部は許容可能な位置で検知されまたそれより大きいと前記頭部は許容不可能な位置で検知される前記傾倒角度αは、好ましくは約３０°と７０°の間、最も好ましくは４５°と６０°の間にある。３０°より小さい傾倒角度は、そのような角度は幼児の通常の安全な取扱いの間に到達することができるので、屈曲頸部発生の誤った報告を生じることもあり、一方７０°より大きい傾倒角度は、より厳格でない角度がしばしば適切な頭部支持の喪失を示すので、屈曲頸部発生の捕らえそこなった報告を生じることもある。
【００３３】
適した機械センサの特別な例が図２に図示される。リード線４２によって中央処理装置に接続された機械スイッチ４０は、前記頸部チューブ２２の前記第二端部２２ｂの近傍の前記湾曲した頸部チューブ２２の前記滑らかに湾曲した面２２ｆ上に備えられる。前記スイッチは、前記頭部１６が前記頸部チューブ２２の前記第二端部２２ｂの近傍の遊動または屈曲した位置に到達するときに作動し、そして前記中央処理装置に屈曲頸部信号を送る。
【００３４】
前記頭部位置センサは、屈曲頸部状態の持続期間（即ち、前記頭部１６が許容不可能な位置に留まる時間の長さ）を検知し、そしてそのような持続期間データを前記中央処理装置に伝達する。前記持続期間データは、屈曲頸部状態の間に発生される知覚可能な信号の強度および／または持続期間（例えば、最初の２分間の泣き声およびそれに続くその後前記頭部１６が許容可能な位置に戻されるまでの甲高い金切り声）を定めるために使用されるか、および／または教育者または他の管理者によるその後の見直し（例えば、指定期間内の各々の屈曲頸部状態発生の持続期間または指定期間内の全ての屈曲頸部状態発生の総持続期間）のために単に記録される。
【００３５】
前記頸部組立品１２はまた所望により、前記頭部１６が許容可能な位置から許容不可能な位置に遊動させられる力を測定することおよびそのような力データを前記中央処理装置に伝達することが可能なセンサ（図示されていない。）を備え得る。前記持続期間データと同様に前記力データは、前記屈曲頸部発生に応じて発生される知覚可能な信号の強度および／または持続期間（例えば、弱い力で起こされた屈曲頸部発生については短い泣き声、中程度の力で起こされた屈曲頸部発生については長く大きな泣き声、また顕著な力で起こされた屈曲頸部発生については金切り声およびそれに続く泣き声の延長された期間）を定めるために使用されるか、および／または教育者または他の管理者によるその後の見直しのために単に記録される。
【００３６】
そのような力データはまた中央処理装置によって使用され、前記頭部１６が前記傾倒角度に到達しそして前記位置センサ４０が作動しても、前記頭部１６によって及ぼされる力がまた誤った取扱いまたは不注意を示す所定の閾値を越えなければ屈曲頸部発生の記録を防止することによって、誤った屈曲頸部発生（即ち、前記頭部１６が適切に支持されているが、しかし低速で前記傾倒角度に到達することが起こる場合）の記録を減ずることができる。誤った屈曲頸部発生の報告についての同様な制御は、（ｉ）前記トグルスイッチ４０を前記湾曲した頸部チューブ２２から離れて強く偏らせて、前記第二保持カラー２４がスイッチ４０への偏る力を打ち負かすに十分な力で前記トグルスイッチ４０に到達しなければ前記スイッチ４０の傾倒を防止すること、および／または（ｉｉ）例えば、前記湾曲頸部チューブ１２の孔（番号付けされていない。）を通して延びまた前記頭部１６および前記胴部１４の双方に接続されるバネ（図示されていない。）で通常の安静位置に向けて前記頭部を偏らせ、前記偏向手段によって及ぼされる力は前記頭部１６について前記傾倒角度に到達するために超えられることが必要とされることによって達成されることができる。
【００３７】
例示的なセンサは特に、しかし排他的でなく、直線移動加減抵抗器または異なる角度αで作動する一連のバイナリ−スイッチを含む。これらのセンサの双方は、前記頭部１６が前記湾曲した頸部チューブ２２に沿って移動する場合に前記頭部１６の加速度を検知しそして記録または報告するために有効である。
【００３８】
前記頸部組立品１２はジャーメイン等に付与された合衆国特許第５，４４３，３８８において開示された種類の完全監視幼児シミュレーターにおける使用のために特に適している。ジャーメイン等の前記幼児シミュレーターは、中央処理装置および幼児の世話に関する様々なデータ（例えば、泣き状態の回数および泣きの開始と必要な世話の要求の充足との間の周期）を検知および記録する適当なセンサを含む。
【００３９】
使用
前記幼児シミュレーター１０は、指定期間、代表的には２４ないし７２時間の間、人に前記幼児シミュレーター１０を単にあてがうことにより、年令の浅い幼児の頭部を適切に支持することを人に訓練するために使用される。
【００４０】
前記幼児シミュレーター１０が屈曲頸部発生の検知に応じて苦痛信号を発生するように構成およびプログラムされるとき、前記の訓練される人は前記人形１０の前記頭部１６を支持することにおける彼等の能力についての即座の回答が与えられる。
【００４１】
前記幼児シミュレーター１０が屈曲頸部発生データおよび／または屈曲頸部持続期間データを記録するように構成およびプログラムされるとき、そのようのデータは指定期間の終わりに教育者または他の教官によって見直され、そして前記人形１０があてがわれていた人と討論されることができる。
【００４２】
本明細書は本発明の完全に非限定的な理解を助けるために与えられている。多くの様々な変法および本発明の態様が本発明の精神および範囲から離れることなく作り出されまた導き出され、本発明の範囲は本明細書に添付された請求項に存する。
【図面の簡単な説明】
【図１】図１は、本発明の遊動する頸部組立品の一つの態様を備え、頭部が許容不可能な位置へと後へ遊動した幼児シミュレーターの斜視図である。
【図２】図２は、内部構成品を図示するためにその一部が切断された、図１に図示される遊動する頸部組立品の斜視図である。
【図３】図３は、図１および２に図示される、遊動する頸部組立品の分解図である。
【図４】図４は、図２および３に図示される、胴部に取り付けられた収容カラーの平面図である。
【図５】図５は、図４における５−５線に沿って切断した図４に図示される胴体収容カラーの断面図である。
【図６】図６は、許容可能な安静位置にある遊動する頸部組立品を表す、内部構成製品を図示するためにその一部が切断された、図１ないし３に図示される遊動する頸部組立品の側面図である。
【図７】図７は、許容不可能な屈曲位置にある遊動する頸部組立品を表す、内部構成製品を図示するためにその一部が切断された、図６に図示される遊動する頸部組立品の側面図である。
【符号の説明】
１０      幼児シミュレーターまたは人形
１２      湾曲した頸部チューブ組立品
１４      胴部
１６      頭部
１８      第一保持カラー
２０      胴部における開口部
２１      頭部における開口部
２２      湾曲した頸部チューブ
２２ａ    頸部チューブの第一端部
２２ｂ    頸部チューブの第二端部
２２ｆ    頸部チューブの（滑らかに湾曲した）前面
２２ｒ    頸部チューブの（鋭く曲がった）背面
２３      第一保持カラーにおける内部フランジ
２４      第二保持カラー
２６      停止タブ
２８      指部
３０      旋回ピン
３２      第一保持カラーにおけるノッチ
３４      閉鎖端部チャネル
３６      横方向の溝
４０      トグルスイッチ
４２      リード線
１００ｘ  第一保持カラーを通した中心長手軸
２００ｘ  第二保持カラーを通した中心長手軸
【図１】
0003605664.tif 000002
【図２】
0003605664.tif 000003
【図３】
0003605664.tif 000004
【図４】
0003605664.tif 000005
【図５】
0003605664.tif 000006
【図６】
0003605664.tif 000007
【図７】
0003605664.tif 000008